(57)【要約】音声再生システムが、コーン（２０７）、第一の電気信号を前記コーン（２０７）の動きに変換する第一のトランスデューサ（２１１、２１３）および第二の電気信号を前記コーン（２０７）の動きに変換する第二のトランスデューサ（２１５、２１７）を有するスピーカー・ユニット（１０１）を含む。本システムはさらに、前記第一の電気信号を前記第二の電気信号とは異なるように生成することによって、前記第一の電磁トランスデューサ（２１１、２１３）および前記第二の電磁トランスデューサ（２１５、２１７）を少なくとも部分的には独立して駆動する駆動回路とを有する。異なる信号は、たとえば、ステレオ信号のような異なる空間的オーディオ・チャンネルから生じてもよい。それにより、単一のコンパクトなスピーカー・ユニット（１０１）が、高品質の低周波数性能および空間的経験を両方とも提供できる。
2013500615.tif 000002
【特許請求の範囲】
【請求項１】
音声再生システムであって：
コーン、第一の電気信号を前記コーンの動きに変換する第一のトランスデューサおよび第二の電気信号を前記コーンの動きに変換する第二のトランスデューサを有するスピーカー・ユニットと；
前記第一の電気信号を前記第二の電気信号とは異なるように生成することによって、前記第一のトランスデューサおよび前記第二のトランスデューサを少なくとも部分的には独立して駆動する駆動回路とを有する、
音声再生システム。
【請求項２】
前記駆動回路が、前記第一の電気信号を第一の音源に対応するよう生成し、前記第二の電気信号を第二の音源に対応するよう生成するよう構成されている、請求項１記載の音声再生システム。
【請求項３】
前記駆動回路が、前記第一の電気信号を、少なくとも第一の周波数区間内の第一のオーディオ・チャンネルの第一チャンネル信号に対応するよう生成し、前記第二の電気信号を、前記第一の周波数区間内の第二のオーディオ・チャンネルの第二チャンネル信号に対応するよう生成するよう構成されている、請求項１記載の音声再生システム。
【請求項４】
前記第一のオーディオ・チャンネルおよび前記第二のオーディオ・チャンネルが空間的チャンネルである、請求項３記載の音声再生システム。
【請求項５】
前記駆動回路がさらに、低周波効果チャンネル信号を受領し、前記低周波数効果チャンネル信号に応答して前記第一の電気信号および前記第二の電気信号の両方を生成するよう構成される、請求項４記載の音声再生システム。
【請求項６】
前記駆動回路はさらに、第二の周波数区間における前記第一チャンネル信号と前記第二チャンネル信号を組み合わせることによって合成信号を生成し、前記第二の周波数区間における前記合成信号に対応するように前記第一の電気信号および前記第二の電気信号の両方を生成するよう構成される、請求項３記載の音声再生システム。
【請求項７】
前記第二の周波数区間が、前記第一の周波数区間より低い周波数を含む、請求項６記載の音声再生システム。
【請求項８】
前記コーンの第一の部分は前記第一のトランスデューサの第一の可動要素に取り付けられ、前記コーンの第二の部分は前記第二のトランスデューサの第二の可動要素に取り付けられる、請求項１記載の音声再生システム。
【請求項９】
前記第一の部分は、前記第一の可動要素の動きによって完全に決定される動きをもつ第一のコーン領域を与え、前記第二の部分は、前記第二の可動要素の動きによって完全に決定される動きをもつ第二のコーン領域を与え、前記コーンはさらに、前記第一の可動要素および前記第二の可動要素両方の動きによって決定される動きをもつ第三のコーン領域を有する、請求項８記載の音声再生システム。
【請求項１０】
前記第一のコーン領域と前記第二のコーン領域の間のチャンネル分離は少なくとも10dBである、請求項９記載の音声再生システム。
【請求項１１】
前記第一の可動要素および前記第二の可動要素はボイス・コイルであり、前記第一のコーン領域および前記第二のコーン領域は、それらボイス・コイルの周内の前記コーンの領域である、請求項９記載の音声再生システム。
【請求項１２】
前記第三の部分は、クロスオーバー周波数より下では、前記第一の電気信号について、前記第一のコーン領域より高い効率をもち、前記クロスオーバー周波数より上では、前記第一の電気信号について、前記第一のコーン領域より低い効率をもつ、請求項９記載の音声再生システム。
【請求項１３】
前記コーンのコーン周部は５ｃｍかける２０ｃｍより小さい寸法をもつ、請求項１記載の音声再生システム。
【請求項１４】
前記コーンのコーン周部の点どうしの間の最大断面距離は２０ｃｍを超えない、請求項１記載の音声再生システム。
【請求項１５】
コーン、第一の電気信号を前記コーンの動きに変換する第一のトランスデューサおよび第二の電気信号を前記コーンの動きに変換する第二のトランスデューサを有するスピーカー・ユニットを駆動する方法であって：
前記第一の電気信号を前記第二の電気信号とは異なるように生成することによって、前記第一のトランスデューサおよび前記第二のトランスデューサを少なくとも部分的には独立して駆動することを含む、
方法。
【発明の詳細な説明】
【技術分野】
【０００１】
本発明は音声再生システムに関し、排他的にではないが特に、空間的なオーディオ（spatial  audio）のための音声再生に関する。
【背景技術】
【０００２】
空間的オーディオの再生は、消費者装置および他の音声再生システムを含む多くの応用において広く使われている。たとえば、ステレオ音声再生は多くの音声システムについて一般的であり、たとえばラジオおよびテレビの音声再生のために使われる。しかしながら、そのようなシステムの欠点は、所望の空間的経験を提供するために複数のスピーカーを必要とするということである。
【０００３】
実際、ステレオ装置は各チャンネルについてスピーカーを必要とし、これは外形寸法〔フォーム・ファクター〕が小さな多くの装置にとっては不都合である。たとえば、小型のテレビや携帯型ラジオ内のスピーカー・システムへの配置はしばしば難しく、外形寸法の増大につながる。十分な品質の低周波数動作を保証するためには比較的大きなスピーカー・サイズが必要とされるので、これは特に不都合である。さらに、複数のスピーカーは、装置にコストおよび複雑さを実質的に上乗せする傾向がある。
【０００４】
よって、より小さな外形寸法、改善された品質の音声再生、空間的な音声の再生、改善された低周波数性能、低下したコスト、低下した複雑さおよび／または改善された性能を許容するシステムが有利であろう。
【発明の概要】
【発明が解決しようとする課題】
【０００５】
本発明は、上述した欠点の一つまたは複数を、単独でまたは任意の組み合わせにおいて、好ましくは緩和、軽減または解消しようとするものである。
【課題を解決するための手段】
【０００６】
本発明のある側面によれば、音声再生システムであって：コーン、第一の電気信号を前記コーンの動きに変換する第一のトランスデューサおよび第二の電気信号を前記コーンの動きに変換する第二のトランスデューサを有するスピーカー・ユニットと；前記第一の電気信号を前記第二の電気信号とは異なるように生成することによって、前記第一のトランスデューサおよび前記第二のトランスデューサを少なくとも部分的には独立して駆動する駆動回路とを有するシステムが提供される。
【０００７】
本発明は、改善された音声再生システムを許容しうる。特に、差別化された音声が、単一のスピーカー・ユニットから生成でき、より柔軟な、多様化された音声再生が許容される。本発明は、多くの実施形態において、複雑さ、サイズおよび／またはコストの低減を許容しうる。たとえば、複数音源再生が単一のスピーカー・ユニットによって達成できる。空間的な音声の体験が、単一のスピーカー・ユニットから達成されうる。本発明は、多くのシナリオにおいて改善されたオーディオ品質を許容しうる。特に、両方のトランスデューサによって、したがって複数の音源によってコーン面積全体が利用されることができるので、改善された低周波数性能が達成できる。このように、低周波数拡張が達成されることができる。低周波数拡張では、両方の信号についての低周波数性能が、コーンの全面積に対応するコーン面積によって、ただしそのようなコーン面積が各信号について設けられることを要求することなく、与えられる。
【０００８】
前記第一および／または第二のトランスデューサは特に、電磁トランスデューサであってもよく、前記スピーカー・ユニットの固定要素に対して、可動部および固定部を有していてもよい。可動部はコーンに取り付けられていてもよい。これら二つの部は、たとえば、永久磁石および前記電気信号を流しうるボイス・コイルに対応していてもよい。ボイス・コイルはコーンに取り付けられていてもよいし、永久磁石は前記スピーカー・ユニットについての固定用構造（fixing  structure）に取り付けられてもよい。
【０００９】
前記の部分的には独立した駆動は、特に、前記第一の電気信号および前記第二の電気信号が同一でなくてもよいことを意味しうる。特に、前記駆動回路は、前記二つの電磁トランスデューサを駆動するために、二つの同一でない信号を生成できるよう構成される。
【００１０】
本発明のある任意的な特徴によれば、前記駆動回路は、前記第一の電気信号を、第一の信号源に対応するよう生成し、前記第二の電気信号を、第二の信号源に対応するよう生成するよう構成される。
【００１１】
本発明は、複数の音源が単一のスピーカー・ユニットから与えられることを許容しうる。それにより、複数オーディオ源のための音声再生システムについてのコスト、複雑さ、サイズの低減および／またはパフォーマンスの改善が許容される。
【００１２】
本発明のある任意的な特徴によれば、前記駆動回路は、前記第一の電気信号を、少なくとも第一の周波数区間内の第一のオーディオ・チャンネルの第一チャンネル信号に対応するよう生成し、前記第二の電気信号を、前記第一の周波数区間内の第二のオーディオ・チャンネルの第二チャンネル信号に対応するよう生成するよう構成される。
【００１３】
本発明は、複数のチャンネルが単一のスピーカー・ユニットから再生されることを許容しうる。それにより、複数チャンネル音声再生システムについてのコスト、複雑さ、サイズの低減および／またはパフォーマンスの改善が許容される。
【００１４】
本発明のある任意的な特徴によれば、前記第一のオーディオ・チャンネルおよび前記第二のオーディオ・チャンネルは空間的チャンネルである。
【００１５】
本発明は、複数の空間的チャンネルを再生するために特に有利となりうる。前記第一および第二のオーディオ・チャンネルは特に、ステレオ信号の左および右のチャンネルであってもよい。
【００１６】
このように、本発明は、単一のスピーカー・ユニットからのステレオ再生を許容しうる。それにより、よりコンパクトなおよび／または改善されたオーディオ品質のステレオ・システムが提供される。本発明はたとえば、テレビまたはラジオのようなステレオ消費者装置の改善および／または小型化を許容しうる。
【００１７】
本発明のある任意的な特徴によれば、前記駆動回路はさらに、低周波効果チャンネル信号を受領し、前記低周波数効果チャンネル信号に応答して前記第一の電気信号および前記第二の電気信号の両方を生成するよう構成される。
【００１８】
これは、追加的なスピーカーを必要とすることなく、この追加的なチャンネルの効率的な再生を提供しうるとともに、特に、コンパクトな、複雑さが低いおよび／または高性能の2.1空間的オーディオ再生システムを許容しうる。
【００１９】
本発明のある任意的な特徴によれば、前記駆動回路は、第二の周波数区間における前記第一チャンネル信号と前記第二チャンネル信号を組み合わせることによって合成信号を生成し、前記第二の周波数区間における前記合成信号に対応するように前記第一の電気信号および前記第二の電気信号の両方を生成するよう構成される。
【００２０】
これは、多くのシナリオにおいて改善されたパフォーマンスを提供しうる。特に、これはコーン全体によって再生される信号成分が、二つのトランスデューサの間で密接に相関付けられることを許容しうる。これは多くのシナリオにおいて改善されたオーディオ品質を提供しうる。
【００２１】
本発明のある任意的な特徴によれば、前記第二の周波数区間は、前記第一の周波数区間より低い周波数を含む。
【００２２】
これは、多くのシナリオにおいて改善されたパフォーマンスを提供しうる。特に、これはコーン全体によって再生される低周波数信号成分が、二つのトランスデューサの間で密接に相関付けられることを許容しうる。これは多くのシナリオにおいて改善されたオーディオ品質を提供しうる。特に、前記第一および第二のオーディオ・チャンネルの低周波数信号を組み合わせることによって、低周波数モノ信号が生成されうる。
【００２３】
前記組み合わせは、たとえば、前記第一チャンネル信号および第二チャンネル信号の低域通過フィルタ処理およびそれに続く、たとえば加算のような組み合わせによって生成されてもよい。
【００２４】
本発明のある任意的な特徴によれば、コーンの第一の部分は前記第一のトランスデューサの第一の可動要素に取り付けられ、コーンの第二の部分は前記第二のトランスデューサの第二の可動要素に取り付けられる。
【００２５】
そのようなアプローチは有利な動作、構築および／または性能を提供しうる。第一の部分および第二の部分は多くのシナリオにおいて、有利には、少なくとも３または５センチメートルの距離だけ分離されうる。
【００２６】
本発明のある任意的な特徴によれば、第一の部分は、前記第一の可動要素の動きによって完全に決定される動きをもつ第一のコーン領域を与え、第二の部分は、前記第二の可動要素の動きによって完全に決定される動きをもつ第二のコーン領域を与え、前記コーンはさらに、前記第一の可動要素および前記第二の可動要素両方の動きによって決定される動きをもつ第三のコーン領域を有する。
【００２７】
これは有利な動作、構築および／または性能を提供しうる。この構成は特に、三つの領域、すなわち第一のコーン領域、第二のコーン領域および第三のコーン領域によって部分的には独立なオーディオ生成を提供しうる。第一のコーン領域は主として第一の可動要素の動きを制御することによって制御でき、第二のコーン領域は主として第二の可動要素の動きを制御することによって制御できる。第三のコーン領域は、第一および第二の可動要素両方によって制御される（そして典型的にはこれらの動きに対称的に依存する）。
【００２８】
第一および第二のコーン領域は特に、比較的小さな寸法の領域に対応してもよい。一方、第三のコーン領域は比較的大きな領域に対応してもよい。
【００２９】
本アプローチは、高周波数が第一および第二の領域から比較的独立して放射され、低周波数は組み合わされ、第三のコーン領域によって放射されることを許容しうる。このように、聴取者にとっての方向手がかりの大半を含む高周波数成分は主としてコーンの別個の相異なる領域から放射されうるとともに、より少ない方向手がかりを含む低周波数はコーン全体から放射され、それにより改善された低周波数性能が提供される。
【００３０】
第一のコーン領域は、第一の可動要素の動きによって完全に決定される。よって、第一の可動要素の正確な情報がわかっていれば、第一のコーン領域の動きは完全に与えられ、第二の可動要素の動きの考察を必要としない。これは、第一の可動要素の動きが第一のトランスデューサから帰結するか、あるいはたとえば、コーンを介して伝搬する第二の可動要素の動きの関数であるかとは独立である。
【００３１】
同様に、第二のコーン領域は、第二の可動要素の動きによって完全に決定される。よって、第二の可動要素の正確な情報がわかっていれば、第二のコーン領域の動きは完全に与えられ、第一の可動要素の動きの考察を必要としない。これは、第二の可動要素の動きが第二のトランスデューサから帰結するか、あるいはたとえば、コーンを介して伝搬する第一の可動要素の動きの関数であるかとは独立である。
【００３２】
対照的に、第三の領域の動きは第一および第二の可動要素両方の動きの関数であり、これらのうち一方だけの動きについての情報からは決定できない。
【００３３】
本発明のある任意的な特徴によれば、第一のコーン領域と第二のコーン領域の間のチャンネル分離は少なくとも10dBである。
【００３４】
これは、多くのシナリオにおいて改善されたパフォーマンスを提供する。いくつかの実施形態では、チャンネル分離は有利には20dBまたは30dBを下回らなくてもよい。
【００３５】
チャンネル分離は、第一および第二のトランスデューサの一方が何の電気信号も入力されず、他方が能動的に駆動される場合の、第一および第二の領域のうち一方によって生成されるサウンド・レベルの他方に対する相対的な差として決定されうる。
【００３６】
多くの実施形態において、電気信号が第一のトランスデューサに入力されない場合の第一の領域の最大変位が、第二の電気信号が再生されるオーディオ信号を含む（すなわち、ゼロでない）場合の第二の領域の最大変位の半分より小さい。そのような測定は、たとえば、第二の領域からの所与のサウンド・レベルについてなされてもよい。
【００３７】
本発明のある任意的な特徴によれば、第一の可動要素および第二の可動要素はボイス・コイルであり、第一のコーン領域および第二のコーン領域は、それらボイス・コイルの周内のコーン領域である。
【００３８】
これは、実際的な実装および／または改善されたパフォーマンスを提供しうる。第一および／または第二のコーン領域は、特に、スピーカー・ユニットのコーン・ドームまたはダスト・キャップに対応してもよい。
【００３９】
本発明のある任意的な特徴によれば、第三の部分は、クロスオーバー周波数より下では、第一の電気信号について、第一のコーン領域より高い効率をもち、クロスオーバー周波数より上では、第一の電気信号について、第一のコーン領域より低い効率をもつ。
【００４０】
同様に、第三の部分は、クロスオーバー周波数より下では、第二の電気信号について、第二のコーン領域より高い効率をもち、クロスオーバー周波数より上では、第二の電気信号について、第二のコーン領域より低い効率をもつ。
【００４１】
これは、改善された音質を提供しうる。クロスオーバー周波数は多くの応用において、有利には、150Hzから600Hzまでの間、特に200Hzから400Hzまでの間であってもよい。
【００４２】
本発明のある任意的な特徴によれば、コーンのコーン周部は５ｃｍかける２０ｃｍより小さい寸法をもつ。
【００４３】
本発明は、比較的高品質のオーディオがコンパクトなスピーカー装置によって生成されることを、同時に空間的な音声再生を提供しながら、許容しうる。特に、スピーカー・ユニットは、正面から（主要中心軸に沿って）見たときに、高々５ｃｍの高さおよび高々２０ｃｍの幅を有していてもよい。本発明はさらに、従来のスピーカーから既知な円形よりは長方形の形により近づく形をもつスピーカーの使用を許容しうる。これは、本オーディオ・システムを実装するときのさらなる柔軟性を提供しうる。
【００４４】
本発明のある任意的な特徴によれば、コーンのコーン周部の点どうしの間の最大断面距離は高々２０ｃｍである。
【００４５】
本発明は、コンパクトなスピーカー構成について、比較的高品質のオーディオが生成されることを許容しうる。
【００４６】
本発明のある側面によれば、コーン、第一の電気信号を前記コーンの動きに変換する第一のトランスデューサおよび第二の電気信号を前記コーンの動きに変換する第二のトランスデューサを有するスピーカー・ユニットを駆動する方法であって：前記第一の電気信号を前記第二の電気信号とは異なるように生成することによって、前記第一のトランスデューサおよび前記第二のトランスデューサを少なくとも部分的には独立して駆動することを含む方法が提供される。
【００４７】
本発明のこれらおよびその他の側面、特徴および利点が、以下に記載される実施形態の参照から明白となり、明快にされるであろう。
【図面の簡単な説明】
【００４８】
本発明の諸実施形態について、単に例として、図面を参照しつつ説明する。
【図１】本発明のいくつかの実施形態に基づく音声再生システムの例を示す図である。
【図２】デュアル・モーター・スピーカー・ユニットの例を示す図である。
【図３】本発明のいくつかの実施形態に基づく音声再生システムの例を示す図である。
【図４】本発明のいくつかの実施形態に基づく音声再生システムの例を示す図である。
【発明を実施するための形態】
【００４９】
図１は、本発明のいくつかの実施形態に基づく音声再生システムの例を示している。本システムは、デュアル・モーター・スピーカー・ユニットであるスピーカー・ユニット１０１を有する。具体的には、スピーカー・ユニット１０１は、二つの異なるアクチュエータによって動かすことのできるコーンから音を放射する。スピーカー・ユニット１０１は、第一の電気信号を受け取り、これをコーンの機械的な動きに変換することのできる第一の（電磁）トランスデューサを有する。さらに、スピーカー・ユニット１０１は、第二の電気信号を受け取り、これをコーンの機械的な動きに変換することのできる第二の（電磁）トランスデューサを有する。各トランスデューサは、たとえば、コーンに取り付けられた可動ボイス・コイルに結合された永久磁石を有していてもよい。このように、本スピーカーは、コーンの異なる部分に取り付けられた二つの異なるアクチュエータによって駆動されることのできるマルチ・モーター・スピーカー・ユニットである。
【００５０】
スピーカー・ユニット１０１は、第一および第二の電気信号を生成するよう構成された駆動ユニット１０３に結合される。駆動ユニット１０３は特に、これら第一および第二の信号を、互いに独立であり、特に二つの異なる音源に対応しうるよう、生成する。よって、デュアル・モーター・スピーカー・ユニット１０１は単に単一音源の低周波数パフォーマンスを拡張するために使用されるのではなく、むしろ、二つの異なる音源を提供するために使用される。それにより、単一のスピーカー・ユニットが、二つ以上の音源についての音声再生を提供することができる。さらに、該二つの音源は空間的に分離されているように感じられる。両者が（少なくとも部分的には）スピーカー・ユニット１０１のコーンの異なる部分から生じるからである。
【００５１】
今の例では、異なるチャンネルを表すために、特に異なる空間的なチャンネルを表すために、二つの音源が使用される。よって、単一のスピーカー・ユニット１０１が、二つ以上の空間的チャンネルを提供するために使用され、それらの空間的チャンネルは、同じコーンによって生成されるにも拘わらず、異なる方向から発しているように知覚される。
【００５２】
今の個別の例では、駆動ユニット１０３は、第一のオーディオ・チャンネルを受け取り、それから前記第一の電気信号を生成する第一のドライバ１０５を有する。駆動ユニット１０３はさらに、第二のオーディオ・チャンネルを受け取り、それから前記第二の電気信号を生成する第二のドライバ１０７を有する。今の例では、第一および第二のドライバ１０５、１０７は互いに完全に独立であり、これらの異なるオーディオ・チャンネルの信号の間には（スピーカー・ユニット１０１のコーンを介するほかは）何の相互作用もない。ドライバ１０５、１０７はたとえば、好適なオーディオ・フィルタ、増幅器、ボリューム・コントロールなどを含んでいてもよい。これらは当業者はよく知っているであろう。
【００５３】
二つのオーディオ・チャンネルは、ステレオ信号の二つのチャンネルのような空間的チャンネルであってもよい。このように、駆動回路はステレオ信号の左および右チャンネルを受け取ってもよく、それから左チャンネルに対応する駆動信号および右チャンネルに対応する別個の駆動信号を生成してもよい。しかしながら、これらの駆動信号は異なるスピーカーやスピーカー・ドライバーに入力されるのではなく、同じスピーカー・ユニット１０１の異なるトランスデューサ／アクチュエータに入力される。よって、本システムでは、同じコーンが駆動されて、左チャンネルおよび右チャンネルの両方を再生する。
【００５４】
本デュアル・モーター駆動回路は、このデュアル駆動の結果、単に組み合わされたモノ信号に対応する音が放射されるのではなく、放射される音は空間的な分布をも有し、右および左のチャンネルについての異なる空間的手がかりを有する。
【００５５】
より詳細には、より高い周波数については、音声再生は主として、アクチュエーション点に近いコーン領域によって生成される。よって、左信号のより高い周波数の成分は主として、左電気信号が入力されるトランスデューサの取り付け点のまわりのコーン領域から放射される。同様に、右信号のより高い周波数の成分は主として、右電気信号が入力されるトランスデューサの取り付け点のまわりのコーン領域から放射される。このように、左および右チャンネルについての放射される音のより高い周波数の成分は、コーンの異なる部分によって放射され、それにより方向手がかりが与えられ、聴取者による空間的な経験が許容される。
【００５６】
周波数が下がるにつれ、音放射はコーンのますます大きな領域からとなり、低周波数については音放射は典型的にはコーン領域全体からである。よって、前記より低い周波数では、放射される音は個々の別個のチャンネルに対応するのではなく、二つのチャンネルの組み合わされた音を与える。よって、低周波数については、モノ音声が放射される。しかしながら、低周波数での両方のチャンネルについての音はコーン領域全体によって放射されることができるので、大幅に改善された効率および低周波数性能が達成できる。
【００５７】
本質的には、本デュアル・モーター・スピーカー・ユニットは、全コーン領域に対応する各チャンネルについての低周波数パフォーマンスを、この領域が各チャンネルについて独立して設けられることを要求することなく、許容する。よって、システムの全コーン領域は、所与の低周波数パフォーマンスを提供するために、事実上半分にされる（すなわち、通常は、そのようなコーン領域をもつ二つのスピーカーが必要とされる）。これは前記より低い周波数についての方向手がかりを犠牲にしてのことになることもあるが、これは典型的には受け容れ可能であり、取るに足りないとも言える。人間の知覚は高周波数の方向手がかりに主として敏感があり、低周波数の方向手がかりには鈍感だからである。よって、本アプローチは、単一のスピーカー・ユニットが、非常にコンパクトな構造を維持しつつ、空間的経験および効率的な低周波数応答の両方を提供することを許容しうる。さらに、単一のスピーカー・ユニットしか必要とされないので、コストが実質的に削減されうる。
【００５８】
本システムはたとえば、フラット・スクリーン・テレビジョンまたは携帯型ラジオといったコンパクトな消費者装置において有利に使用されうる。
【００５９】
図２は、スピーカー・ユニット１０１をより詳細に示しており、特に、エンクロージャー２０１内にマウントされたスピーカー・ユニット１０１の断面を示している。
【００６０】
スピーカー・ユニット１０１は、該スピーカー・ユニット１０１を固定するのに使われるマウンティング・フレーム２０３を有する。今の個別的な例では、スピーカー・ユニット１０１は、エンクロージャー２０１内にマウントされる。エンクロージャー２０１はたとえば、フラット・スクリーン・テレビジョンまたは携帯型ラジオ内にマウントされてもよい。今の例では、エンクロージャー２０１はさらに、バスリフレックス・ポート２０５を有する。これは、スピーカー・ユニット１０１が改善された低周波数応答を提供するのを支援する。マウンティング・フレーム２０３は、スピーカー・ユニット１０１の諸要素のための堅固な支持を提供する。マウンティング・フレーム２０３は固定的かつ堅固にエンクロージャー２０１内に、たとえば好適な固定点を介してマウントされる（たとえば、マウンティング・フレーム２０３は、ラウドスピーカー・ユニット１０１をエンクロージャー２０１にねじで固定するために使用できるねじ穴を有することができる）。
【００６１】
ラウドスピーカー・ユニット１０１はさらに、マウンティング・フレーム２０３に柔軟に取り付けられているコーン２０７を有する。コーン２０７は、図２の例では、マウンティング・フレーム２０３に対してコーン２０７が動くことを許容する弾力的なまたは柔軟なマウンティングによって、マウンティング・フレーム２０３に取り付けられている。特に、コーン２０７は、ゴムで覆ったサラウンド２０９を介してマウンティング・フレームに固定される。
【００６２】
スピーカー・ユニット１０１は、電気信号をコーン２０７の動きに変換するよう構成された二つのトランスデューサを有する。第一のトランスデューサはマウンティング・フレーム２０３に固定された要素およびコーン２０７に取り付けられていて前記固定要素に対して、よってマウンティング・フレーム２０３に対して動くことのできる可動要素を有する。今の例では、固定要素は永久磁石２１１であり、可動部はボイス・コイル２１３である。よって、電気信号がボイス・コイル２１３に入力されるとき、結果として得られる磁場はボイス・コイル２１３、よってコーン２０７を、永久磁石２１１、よってマウンティング・フレーム２０３に対して動かさせる。
【００６３】
第二のトランスデューサは同様に永久磁石２１５の形の固定要素およびコーン２０７に取り付けられたボイス・コイル２１７の形の可動要素を有する。
【００６４】
第一および第二のボイス・コイル２１３、２１７はコーン２０７の異なる要素に取り付けられ、よってコーン２０７に異なる仕方で動きを付与する。
【００６５】
コーン２０７は比較的大きなコーン面積をもち、円形でない周をもつよう構成されてもよい。特に、コーン２０７の周（サラウンド２０９に接続するコーン部分に対応）は、オーバルまたは長方形により近い非円形の形を有する。特に、二つのトランスデューサの中心点を通る直線に沿った反対側の周上の点の間で（すなわち、ボイス・コイル２１３、２１７の中心点間で）測られる幅は、これと垂直な直線に沿った反対側の周上の点の間で測られる（たとえば、これらのトランスデューサの中心において、またはこれらの中心の間の点において測られる）高さより長い。
【００６６】
実際、多くの実施形態では、幅は高さの少なくとも二倍であり、しばしば少なくとも三倍、四倍または五倍の長さであることが有利でありうる。この構成は、多くの消費者電子装置中での統合のために実際的な形を提供しうる。さらに、多くのシナリオにおいて、当該スピーカー・ユニットによって与えられる異なる音源の間の改善された空間的区別を保証しうる。
【００６７】
実際、伝統的なラウドスピーカーの円形の形はしばしば非実際的であることが見出されてきており、同様のベース応答をもつがより長方形またはオーバル形の外形をもつラウドスピーカーを創り出す試みがされてきた。そのようなスピーカーに関する問題は、コーンを対称的に、かつ異なる領域におけるコーンの非対称的な動きからの歪みを回避するよう十分正確に駆動することがより難しくなるということであることが見出されている。（たとえば、トランスデューサは、コーンの最も遠い領域を最長軸に沿って効果的に動かすことは、最短軸に沿ってコーンについて動きを歪めることなくしてはできない。）二つの異なるコーン点において同一にコーンの動かすことによって、より一様なコーン動きを提供することが提案されている。そのようなスピーカーは、異なる点においてコーンに取り付けられる二つのトランスデューサを有していてもよく、コーンを一様に駆動するために、両方のトランスデューサが同じ信号を入力されてもよい。
【００６８】
しかしながら、図１のシステムは、全く異なるアプローチを使っており、異なるトランスデューサに異なる信号が入力され、それにより単一のコーンが複数の空間的に分離された音源を提供するために使用される。実際、本願のアプローチは、そのような複数の音源位置を単一のスピーカー要素から与えるために、コーンを明示的に非一様に、コーンの異なる部分における異なる動きをもって駆動しようとするものである。
【００６９】
図２のスピーカー・ユニットにおいて、コーン２０７は三つの異なる部分を有すると考えることができる。
【００７０】
第一の部分は、第一のボイス・コイル２１３の動きによって完全に決定できるコーンの部分である。今の個別的な例では、この部分は、第一のボイス・コイル２１３の取り付けの周内であるコーン領域に対応する。すなわち、今の個別的な例では、第一の部分は、第一のボイス・コイル２１３に取り付けられたダスト・キャップまたはドーム・コーン２１９に対応する。コーンの第一の部分／領域は以下では第一のダスト・キャップ２１９と称される。
【００７１】
第一のダスト・キャップ２１９が、該第一のダスト・キャップ２１９の周全体に沿って第一のボイス・コイル２１３に取り付けられているので、第一のボイス・コイル２１３の動きの正確な知識があれば、第一のダスト・キャップ２１９の正確な動きも決定できることになる。たとえば、第一のボイス・コイル２１３に電気信号が加えられる場合、これは第一のボイス・コイル２１３の動きを制御し、これはさらにダスト・キャップ２１９の動きを制御する。第一のボイス・コイル２１３に何の信号も加えられなければ、第二のボイス・コイル２１７の動きから第一のダスト・キャップ２１９に動きが到達することがあり、第一のダスト・キャップ２１９の動きを引き起こすことがありうる。しかしながら、この場合であっても、第一のボイス・コイルは対応して動かされるので、第一のダスト・キャップ２１９の動きは、第一のボイス・コイル（２１３）の動きの知識から決定できる。
【００７２】
第二のトランスデューサについても同じコメントが等しく適用でき、よって、コーン２０７は、第二のボイス・コイル２１７の動きの知識から完全に決定できる動きをもつ第二の部分／領域を有することは理解されるであろう。この第二の部分は、今の特定の例では第二のダスト・キャップ２２１に対応する。
【００７３】
コーン２０７はさらに、ボイス・コイル２１３、２１７の一方のみの動きの知識からだけでは動きが完全に決定できない第三の部分２２３を有する。この第三の部分２２３は特に、コーン２０７の残りの部分、すなわちダスト・キャップ２１９、２２１の一部でない部分を有する。この第三の部分２２３の任意の点の動きは、ボイス・コイル２１３、２１７の一方だけの動きによってのみ決定されることはなく、ボイス・コイル２１３、２１７両方の動きに依存することは明らかであろう。
【００７４】
使用時に、第一のトランスデューサに入力される信号の高周波数成分は、主として、第一のダスト・キャップ２１９および第一のボイス・コイル２１９のまわりの第三の部分２２３の小さな領域によって放射される。同様に、第二のトランスデューサに入力される信号の高周波数成分は、主として、第二のダスト・キャップ２２１および第二のボイス・コイル２２１のまわりの第三の部分２２３の小さな領域によって放射される。しかしながら、第一および第二の信号の低周波数は主として、典型的にはコーン２０７の大半の面積をなす第三の部分２２３によって放射される。
【００７５】
このように、スピーカー・ユニット１０１は異なる音を、異なる周波数についてコーン２０７の異なる部分から放射する傾向がある。より高い周波数では、二つの入力チャンネルのための局在化され、空間的に区別される音が、ボイス・コイル２１３、２１７内の、またはボイス・コイル２１３、２１７に隣接する小さい領域から放射される。周波数が低下すると、コーン（単数または複数）２０７の有効面積が徐々に増大してもよく、低周波数についてはコーン領域全体が、両方のチャンネルのための組み合わされた音放射のために使用される。こうして、周波数を上げていくと、空間的区別が徐々に増大し、周波数を下げていくと、有効コーン面積が徐々に増大する。よって、単一のスピーカー・ユニット１０１の振る舞いは、ステレオ信号のような複数の空間オーディオ・チャンネルのレンダリングのために特に有利である。人間の知覚は高周波数については方向手がかりに敏感だが低周波数については敏感ではなく、一方、より低い周波数での高いオーディオ品質はより大きなコーン面積を必要とするからである。
【００７６】
よって、本システムにおいて、より低い周波数では、第三の部分２２３によって提供される音圧レベルのほうがダスト・キャップ２１９、２２１の音圧レベルより高く、一方、より高い周波数では、ダスト・キャップ２１９、２２１によって提供される音圧レベルのほうが第三の部分２２３の音圧レベルより高い。よって、第三の部分２２３は、所与のクロスオーバー周波数より下では、第一の電気信号について第一のコーン領域（第一のダスト・キャップ２１９）より高い効率をもち、前記クロスオーバー周波数より上では、第一の電気信号について第一のコーン領域（第一のダスト・キャップ２１９）より低い効率をもつ。多くの実施形態において、クロスオーバー周波数は有利には150Hzから600Hzまでの間であり、より有利には200Hzから300Hzまでの間である（区間の両端は含まれる）。
【００７７】
本システムにおいて、スピーカー・ユニットは、第一の部分と第二の部分に対応する二つのコーン領域の間で、すなわち今の個別的な例では第一および第二のダスト・キャップ２１９、２２１の間で、10dB以上のチャンネル分離をもつ。チャンネル分離は、トランスデューサの一方のみが駆動される状況について、両コーン領域（ダスト・キャップ）によって生成される音レベルの間の差として測ってもよい。
【００７８】
たとえば、第二のボイス・コイル２１７には何の信号も加えられない一方、第一のボイス・コイル２１３に試験信号が加えられてもよい。周波数は比較的高く、たとえば1kHzより上に選択されてもよい。次いで、第一のダスト・キャップ２１９によって生成される音レベルが決定されてもよい（たとえば解析または測定により）。しかしながら、今のシナリオでは、第一のボイス・コイル２１３の動きはコーン２０７を通じて第二のダスト・キャップ２２１に伝搬することがあり、結果としてコーン２０７のその部分も動き、よって音を生成する。この音レベルが次いで決定される（たとえば解析または測定により）。スピーカー・ユニット１０１のつくり（たとえばコーンの硬さ［スチフネス］）は、これらの音レベルの差が少なくとも10dB、多くの実施形態では一層有利に少なくとも20dB、またさらには30dBとなるようなものである。これは、単一のコーン２０７からの改善された空間的経験を保証しうる。
【００７９】
いくつかの状況では、チャンネル分離は、ボイス・コイル２１９、２２１の一方のみが能動的に駆動されるときに、二つのダスト・キャップ２１９、２２１の相対的な動き／変位に基づいて決定されてもよい。たとえば、第一のダスト・キャップ２１９に対して第二のボイス・コイル２１７の動きによって引き起こされる変位は、第二のダスト・キャップ２２１の動きよりも実質的に小さい。多くのシナリオにおいて、第一のダスト・キャップ２１９の変位は有利には、第二のダスト・キャップ２２１の変位の５分の１または１０分の１より小さくてもよい。
【００８０】
本システムは、このように、複数の空間的に分離した音源および高品質の低周波数再生を、単一のコンパクトなスピーカー・ユニット１０１から提供できる。実際、本アプローチは、非常に小さなスピーカー・ユニット１０１について良好なユーザー経験を提供することが見出された。多くの実施形態において、スピーカー・ユニット１０１の幅は２０ｃｍより小さくてもよい（よって、最大断面距離は２０ｃｍより小さくてもよい）。さらに、高さは５ｃｍより小さくてもよい。よって、本アプローチは、２０ｃｍかける５ｃｍより小さい領域からの、高品質の多チャンネル音再生を許容しうる。
【００８１】
実際的な実装が、３０ｍｍ程度の高さおよび１３５ｍｍから１８０ｍｍまでの間の幅について、きわめて有利な性能を提供することが見出されている。こうした実装について、ダスト・キャップは１５ｍｍ程度の直径を有していた。これらの実装は、特定のエンクロージャーにおいて、知覚可能なステレオ効果および80Hz程度まで拡張されたベースの両方を提供することが見出された。従来のスピーカーとともに使用される同様の大きさのエンクロージャーについては、ベースは典型的には200Hz程度までしか拡張しない。よって、非常に実質的な低周波数拡張が達成されることが見出された。
【００８２】
図１のシステムでは、第一の電気信号はオーディオ・チャンネル、特にステレオ信号の左オーディオ・チャンネルに対応し、第二の電気信号は第二のオーディオ・チャンネル、特にステレオ信号の右オーディオ・チャンネルに対応する。今の例では、これは周波数区間全体において成り立つ。第一および第二の電気信号は、周波数範囲全体にわたって、それぞれ第一のオーディオ・チャンネルおよび第二のオーディオ・チャンネルにおける信号を表すために生成されるからである。よって、今の例では、より低い周波数での信号の組み合わせはコーン２０７自身において行われる。
【００８３】
いくつかの実施形態では、トランスデューサを駆動する電気信号は、限られた周波数範囲内のそれぞれの入力オーディオ・チャンネルに直接対応するだけでもよい。そのような実施形態では、入力オーディオ・チャンネルはたとえば、他の周波数範囲においては、電気信号を生成するときに組み合わされてもよい。
【００８４】
図３は、そのようなアプローチの例を示している。この例は図１の例に対応するが、駆動回路１０３が修正されている。具体的には、入力ステレオ・チャンネルは前処理されて、ある周波数区間内の組み合わされた信号を生成し、トランスデューサを駆動する電気信号はこの周波数区間内のこの組み合わされた信号から生成される。この周波数区間外では、電気駆動信号は主として、オーディオ・チャンネルの入力信号から生成される。
【００８５】
図３のシステムでは、左入力オーディオ・チャンネルからの信号は、低域通過フィルタ３０１に入力される。低域通過フィルタ３０１は、特に300〜600Hzの範囲内であってもよいカットオフ周波数をもつ低域通過フィルタ処理された信号を生成する。同様に、右入力オーディオ・チャンネルからの信号は、低域通過フィルタ３０３に入力される。低域通過フィルタ３０３も、特に300〜600Hzの範囲内であってもよいカットオフ周波数をもつ低域通過フィルタ処理された信号を生成する。図３のシステムでは、二つの低域通過フィルタ３０１、３０３は実質的に同一である。低域通過フィルタ処理された信号は次いで組み合わせ器３０５（これは今の個別的な例では単純な加算器である）において組み合わされ、それにより合成信号を生成する。このように、合成信号は低周波数区間内における入力ステレオ信号から生成されたモノ信号である。
【００８６】
第一の低域通過フィルタ３０１からの右の低域通過フィルタ処理された信号はさらに、第一の減算器３０７に入力される。該第一の減算器３０７は前記右の低域通過フィルタ処理された信号を前記入力右信号から引いて、右残差信号を生成する。同様に、第二の低域通過フィルタ３０３からの左の低域通過フィルタ処理された信号はさらに、第二の減算器３０９に入力される。該第二の減算器３０９は前記左の低域通過フィルタ処理された信号を前記入力左信号から引いて、左残差信号を生成する。
【００８７】
組み合わせ器３０５および第一の減算器３０７は、第一の組み合わせ器３１１に結合される。該第一の組み合わせ器は右残差信号および共通の合成信号を組み合わせて、右修正信号を生成する。同様に、組み合わせ器３０５および第二の減算器３０９は、第二の組み合わせ器３１３に結合される。該第二の組み合わせ器は左残差信号および共通の合成信号を組み合わせて、左修正信号を生成する。
【００８８】
このように、より高い周波数ではもとの左および右の入力信号に対応するが、より低い周波数については同一になる左および右の修正された信号が生成される。こうして、より高い周波数ではもとの入力ステレオ信号に対応するがより低い周波数では共通のモノ信号に対応するステレオ信号が生成される。第一および第二の組み合わせ器３１１、３１３（これらは具体的には加算器であってもよい）は第一および第二のドライバ１０５、１０７に結合され、これら第一および第二のドライバが、これらの修正された信号から左および右の駆動信号を生成する。
【００８９】
こうして、図３の例では、高周波成分をラウドスピーカー・ユニット１０１のコーン２０７の異なる部分から表現することによって、空間的なユーザー経験が提供される。しかしながら、より低い周波数では、共通のモノ信号が与えられ、結果として一様なモノ音が放出される。これは、多くのシナリオにおいて改善されたパフォーマンスを提供しうる。低周波数でのコーンの共通駆動はより一貫したコーン２０７の動きを提供でき、たとえばコーン２０７に要求されるたわみは少なくなる。よって、コーン歪みが軽減でき、低周波数パフォーマンスが改善されうる。
【００９０】
いくつかの実施形態では、駆動回路１０３は、低周波数効果（LFE:  low  frequency  effects）チャンネルをも受領してもよい。よって、入力信号は、ステレオ信号ではなく、2.1空間的信号であってもよい。特に、駆動回路は第一および第二の電気信号の両方を、左および右の入力信号からのみではなく、LFEチャンネルの信号にも応じて生成してもよい。
【００９１】
単一のスピーカー・ユニット１０１から2.1信号をレンダリングするよう実装されたシステムの例が図４に示されている。この例は図３のシステムに対応するが、入力信号から合成信号を生成する代わりに、LFE信号が直接使われる。よって、第一のドライバ１０５への入力は、LFE信号と右信号を組み合わせることによって生成され、第二のドライバ１０７への入力は、LFE信号と左信号を組み合わせることによって生成される。こうして、LFE信号は、スピーカー・ユニット１０１の二つのトランスデューサを一様に駆動しており、結果として、LFE信号をなす低周波数信号成分の効率的かつ高品質のレンダリングが得られる。
【００９２】
LFEチャンネル信号と組み合わせ器３０５からの合成信号を組み合わせ、結果として得られる信号を組み合わせ器３１１、３１３に入力することによって、図３および図４のシステムが簡単に組み合わせられることは理解されるであろう。
【００９３】
上記の説明は明確のために本発明の実施形態を種々の機能ユニットおよび処理器に言及しつつ記述してきたことは理解されるであろう。しかしながら、本発明から外れることなく、異なる機能ユニットまたは処理器の間の機能のいかなる好適な分配を使ってもよいことは明白であろう。たとえば、別個の処理器またはコントローラによって実行されるよう例示された機能が同じ処理器またはコントローラによって実行されてもよい。よって、個別的な機能ユニットは、厳密な論理的または物理的な構造または編成を示すというよりは、記載される機能を提供するための好適な手段に言及しただけと見なされるものである。
【００９４】
本発明は、ハードウェア、ソフトウェア、ファームウェアまたはこれらの任意の組み合わせを含むいかなる好適な形で実装されることもできる。本発明は任意的に、少なくとも部分的に、一つまたは複数のデータ・プロセッサおよび／またはデジタル信号プロセッサ上で走るコンピュータ・ソフトウェアとして実装されてもよい。本発明のある実施形態の要素およびコンポーネントは、物理的、機能的および論理的にいかなる好適な仕方で実装されてもよい。実際、機能は単一のユニットにおいて、複数のユニットにおいて、あるいは他の機能ユニットの一部として実装されてもよい。よって、本発明は、単一のユニットにおいて実装されてもよいし、あるいは異なるユニットおよび処理器の間で物理的および機能的に分散されていてもよい。
【００９５】
本発明は、いくつかの実施形態との関連で記載してきたが、本稿において記載される特定の形に限定されることは意図されていない。むしろ、本発明の範囲は付属の請求項によってのみ限定される。さらに、ある特徴が特定の実施形態との関連で記載されているように見えたとしても、当業者は、記載される実施形態のさまざまな特徴が本発明に従って組み合わされてもよいことを認識するであろう。請求項において、有するの語は他の要素やステップの存在を排除しない。
【００９６】
さらに、個々に挙げられてはいても、複数の手段、要素または方法ステップが、たとえば単一のユニットまたはプロセッサによって実装されてもよい。さらに、個々の特徴が異なる請求項に含められていても、それらは有利に組み合わされる可能性もありうるのであって、異なる請求項に含まれていることは特徴の組み合わせが実現可能でないおよび／または有利でないことを含意するものではない。ある特徴があるカテゴリーの請求項に含まれていることも、このカテゴリーへの限定を含意するのではなく、その特徴が他の請求項カテゴリーにも適宜等しく適用可能であることを示す。さらに、請求項における特徴の順序は、それらの特徴が作動させられなければならないいかなる特定の順序をも含意するものではない。特に、方法請求項における個々のステップの順序は、それらのステップがこの順序で実行されなければならないことを含意するものではない。むしろ、それらのステップはいかなる好適な順序で実行されてもよい。さらに、単数形での言及は複数を排除しない。「ある」「第一の」「第二の」などの言及は複数を排除するものではない。請求項に参照符号があったとしても、明確化する例としてのみ与えられているのであって、いかなる仕方であれ特許請求の範囲を限定するものと解釈してはならない。
【図１】
2013500615.tif 000003
【図２】
2013500615.tif 000004
【図３】
2013500615.tif 000005
【図４】
2013500615.tif 000006
【手続補正書】
【提出日】平成24年1月25日(2012.1.25)
【手続補正１】
【補正対象書類名】特許請求の範囲
【補正対象項目名】全文
【補正方法】変更
【補正の内容】
【特許請求の範囲】
【請求項１】
音声再生システムであって：
コーン、第一の電気信号を前記コーンの動きに変換する第一のトランスデューサおよび第二の電気信号を前記コーンの動きに変換する第二のトランスデューサを有するスピーカー・ユニットと；
前記第一の電気信号を前記第二の電気信号とは異なるように生成することによって、前記第一のトランスデューサおよび前記第二のトランスデューサを少なくとも部分的には独立して駆動する駆動回路とを有しており、前記駆動回路が、前記第一の電気信号を第一の音源に対応するよう生成し、前記第二の電気信号を第二の音源に対応するよう生成するよう構成されている、
音声再生システム。
【請求項２】
前記駆動回路が、前記第一の電気信号を、少なくとも第一の周波数区間内の第一のオーディオ・チャンネルの第一チャンネル信号に対応するよう生成し、前記第二の電気信号を、前記第一の周波数区間内の第二のオーディオ・チャンネルの第二チャンネル信号に対応するよう生成するよう構成されている、請求項１記載の音声再生システム。
【請求項３】
前記第一のオーディオ・チャンネルおよび前記第二のオーディオ・チャンネルが空間的チャンネルである、請求項２記載の音声再生システム。
【請求項４】
前記駆動回路がさらに、低周波効果チャンネル信号を受領し、前記低周波数効果チャンネル信号に応答して前記第一の電気信号および前記第二の電気信号の両方を生成するよう構成される、請求項３記載の音声再生システム。
【請求項５】
前記駆動回路はさらに、第二の周波数区間における前記第一チャンネル信号と前記第二チャンネル信号を組み合わせることによって合成信号を生成し、前記第二の周波数区間における前記合成信号に対応するように前記第一の電気信号および前記第二の電気信号の両方を生成するよう構成される、請求項２記載の音声再生システム。
【請求項６】
前記第二の周波数区間が、前記第一の周波数区間より低い周波数を含む、請求項５記載の音声再生システム。
【請求項７】
前記コーンの第一の部分は前記第一のトランスデューサの第一の可動要素に取り付けられ、前記コーンの第二の部分は前記第二のトランスデューサの第二の可動要素に取り付けられる、請求項１記載の音声再生システム。
【請求項８】
前記第一の部分は、前記第一の可動要素の動きによって完全に決定される動きをもつ第一のコーン領域を与え、前記第二の部分は、前記第二の可動要素の動きによって完全に決定される動きをもつ第二のコーン領域を与え、前記コーンはさらに、前記第一の可動要素および前記第二の可動要素両方の動きによって決定される動きをもつ第三のコーン領域を有する、請求項７記載の音声再生システム。
【請求項９】
前記第一のコーン領域と前記第二のコーン領域の間のチャンネル分離は少なくとも10dBである、請求項８記載の音声再生システム。
【請求項１０】
前記第一の可動要素および前記第二の可動要素はボイス・コイルであり、前記第一のコーン領域および前記第二のコーン領域は、それらボイス・コイルの周内の前記コーンの領域である、請求項８記載の音声再生システム。
【請求項１１】
前記第三の部分は、クロスオーバー周波数より下では、前記第一の電気信号について、前記第一のコーン領域より高い効率をもち、前記クロスオーバー周波数より上では、前記第一の電気信号について、前記第一のコーン領域より低い効率をもつ、請求項８記載の音声再生システム。
【請求項１２】
前記コーンのコーン周部は５ｃｍかける２０ｃｍより小さい寸法をもつ、請求項１記載の音声再生システム。
【請求項１３】
前記コーンのコーン周部の点どうしの間の最大断面距離は２０ｃｍを超えない、請求項１記載の音声再生システム。
【請求項１４】
コーン、第一の電気信号を前記コーンの動きに変換する第一のトランスデューサおよび第二の電気信号を前記コーンの動きに変換する第二のトランスデューサを有するスピーカー・ユニットを駆動する方法であって：
前記第一の電気信号を前記第二の電気信号とは異なるように生成することによって、前記第一のトランスデューサおよび前記第二のトランスデューサを少なくとも部分的には独立して駆動することを含み、前記駆動は、前記第一の電気信号を第一の音源に対応するよう生成し、前記第二の電気信号を第二の音源に対応するよう生成することを含む、
方法。
【手続補正２】
【補正対象書類名】明細書
【補正対象項目名】００１０
【補正方法】変更
【補正の内容】
【００１０】
前記駆動回路は、前記第一の電気信号を、第一の信号源に対応するよう生成し、前記第二の電気信号を、第二の信号源に対応するよう生成するよう構成される。
【手続補正３】
【補正対象書類名】明細書
【補正対象項目名】００４６
【補正方法】変更
【補正の内容】
【００４６】
本発明のある側面によれば、コーン、第一の電気信号を前記コーンの動きに変換する第一のトランスデューサおよび第二の電気信号を前記コーンの動きに変換する第二のトランスデューサを有するスピーカー・ユニットを駆動する方法であって：前記第一の電気信号を前記第二の電気信号とは異なるように生成することによって、前記第一のトランスデューサおよび前記第二のトランスデューサを少なくとも部分的には独立して駆動することを含み、前記駆動は、前記第一の電気信号を第一の音源に対応するよう生成し、前記第二の電気信号を第二の音源に対応するよう生成することを含む、方法が提供される。
【国際調査報告】
2013500615.tif 000007
2013500615.tif 000008